(57)【要約】【課題】  ワイヤー状の靴紐の端部を通し易く、緩めた靴紐の収まりが良く、かつ、締め付けられた靴紐が強く曲げられることを防ぐことができる靴紐ガイドを提供すること。【解決手段】  本発明は、ワイヤー状の靴紐Ｗを挿通して案内するための靴紐ガイド１０であって、靴へ固定するための装着部２と、長手方向両端部に開口３ａを備えた細長いトンネル状の通路３とを有する本体部１と、を有し、前記通路３に挿通された靴紐Ｗが締め付けられた際に当該靴紐Ｗが接しない側の前記通路３の側壁は直線状の内面４を有し、靴紐Ｗが締め付けられた際に当該靴紐Ｗが接する側の前記通路３の側壁の内面５は、前記直線状の内面４より短く形成されており、さらに、前記通路３の上下の壁面６，７は、前記靴紐Ｗが接する側の前記通路３の側壁の内面５の長手方向両端部より外方に延び、前記直線状の内面４の全域を覆うように広がっている靴紐ガイド１０である。【選択図】図１
2017205301.tif 000002
【特許請求の範囲】
【請求項１】
ワイヤー状の靴紐を挿通して案内するために樹脂材料にて設けられた靴紐ガイドであって、
靴へ固定するための装着部と、長手方向両端部に開口を備え靴紐を挿通できる細長いトンネル状の通路とを有する本体部と、
を有し、
前記通路に挿通された靴紐が締め付けられた際に当該靴紐が接しない側の前記通路の側壁は直線状の内面を有し、
前記通路に挿通された靴紐が締め付けられた際に当該靴紐が接する側の前記通路の側壁の内面は、前記直線状の内面より短く形成されており、さらに、
前記通路の上下の壁面は、前記靴紐が接する側の前記通路の側壁の内面の長手方向両端部より外方に延びるとともに、前記直線状の内面の全域を覆うように広がっていることを特徴とする靴紐ガイド。
【請求項２】
前記通路に挿通された靴紐が締め付けられた際に当該靴紐が接する側の前記通路の側壁は弧状の内面を有しており、
当該弧状の内面は、靴紐が締め付けられた際においても靴紐が鈍角に引き出されるように緩やかな曲面から構成されていることを特徴とする請求項１に記載の靴紐ガイド。
【請求項３】
前記通路の上下の壁面は、前記直線状の内面の長手方向両端部より外方に向かって拡開するように広がっていることを特徴とする請求項１又は２に記載の靴紐ガイド。
【請求項４】
前記通路の上下の壁面は、水平方向に延びるように平坦に形成され、前記通路両端部の開口を広く維持していることを特徴とする請求項１〜３の何れか一項に記載の靴紐ガイド。
【請求項５】
前記通路は、最狭部においてもワイヤー状の靴紐が抵抗なく挿通できるように、靴紐の直径方向断面よりも十分に大きな横方向断面を有していることを特徴とする請求項１〜４の何れか一項に記載の靴紐ガイド。
【請求項６】
前記装着部は、前記通路に挿通された靴紐が締め付けられた際に当該靴紐が接しない側の前記本体部から板状に延びるように設けられていることを特徴とする請求項１〜５の何れか一項に記載の靴紐ガイド。
【発明の詳細な説明】
【技術分野】
【０００１】
本発明は、ワイヤー状の靴紐の端部を通し易く、緩めた靴紐の収まりが良く、かつ、締め付けられた靴紐が強く曲げられることを防ぐことができる靴紐ガイドに関するものである。
【背景技術】
【０００２】
従来、ワイヤー状の紐を巻き取ることができる巻取装置を操作することで、紐を簡単に締め付けたり締め付けを解除できる靴や医療用器具が提案されており、当該巻取装置を備えた靴などにおいては、紐を靴などの所定位置に挿通して案内するために、各種形態の紐ガイドが用いられている（特許文献１〜４）。
【０００３】
従来から多く用いられている形態である図４（Ａ）に示す紐ガイド５０は、略Ｕ字状に湾曲した細長いチューブ状の通路に靴紐Ｗを挿通している（特許文献１、２）。
また、図４（Ｂ）の右側に示すように、細長いチューブ状の通路をほぼ直線状にした紐ガイド５１が提案されている（特許文献３）。
【０００４】
上記従来の紐ガイド５０，５１においては、通路の両端部の開口が小さいため、紐の端部を通す作業を行い難いという問題がある。かかる問題は、通路がＵ字状に湾曲している場合には紐が曲がる際の抵抗も加わり、より一層顕著となる。
【０００５】
そこで、図４（Ｂ）の左側に示すように、紐を通す通路の両端の開口を大きくした紐ガイド５２（特許文献３）や、図４（Ｃ）〜（Ｅ）に示す紐ガイド５３，５４のように、靴紐Ｗが締め付けられた際に靴紐Ｗが接しない側の壁面を取り除いて開放させた通路を備えたものが提案されている（特許文献１、４）。
【先行技術文献】
【特許文献】
【０００６】
【特許文献１】国際公開ＷＯ２０１４／０７４６４５号公報
【特許文献２】特許第３０２７１８３号公報
【特許文献３】特表２０１３−５３００２３号公報
【特許文献４】米国特許第７６１７５７３号公報
【発明の概要】
【発明が解決しようとする課題】
【０００７】
上記にて説明したとおり、紐を通す通路の両端部の開口が小さい従来の紐ガイド５０，５１や、通路がＵ字状に湾曲している紐ガイド５０においては、紐の端部を通路に通す作業を行い難いという問題がある。
また、通路の一壁面を開放した紐ガイド５４においても、通路の両端部の開口が狭くなっており、靴紐Ｗの端部を通路の端部からは通し難いという問題や、靴紐Ｗが通路から抜け出すことを防ぐための突起５４ａを無理矢理越えさせることによって靴紐Ｗに傷が付くおそれがあるという問題がある。
【０００８】
さらに、従来の紐ガイドにおいては、紐を締め付けた際に紐が鋭角に案内されて引き出され、紐に過大な曲げストレスが加わるという問題や、紐を締め付ける際の抵抗が大きくなるという問題がある。
また、従来の紐ガイドにおいては、紐が緩められると、通路の開口から引き出された紐が上方又は下方に向けて広がり、邪魔になるという問題があった。
特に靴紐Ｗが締め付けられた際に靴紐Ｗが接しない側の壁面を取り除いて開放させた紐ガイド５３においては、靴紐Ｗを緩めると靴紐Ｗが紐ガイド５３から外れてしまうという問題がある。
【０００９】
そこで、本発明の目的は、上記従来の課題を解決し、靴紐の端部を通路に通す作業を行い易く、かつ、靴紐に過大な曲げストレスが加わることがない靴紐ガイドを提供することにある。
また、本発明の目的は、靴紐を締め付けた際に靴紐が緩やかな曲面によって案内され、靴紐を通す通路から靴紐が鈍角に引き出される靴紐ガイドを提供することにある。
さらに、本発明の他の目的は、靴紐を通路に通したり、靴紐を締め付ける際の抵抗が大きくなることがない靴紐ガイドを提供することにある。
【００１０】
さらに、本発明の他の目的は、靴紐が緩められても、靴紐ガイドから外れてしまうことがなく、また、靴紐を挿通する通路の開口から引き出された靴紐が上方又は下方に向けて広がることが抑制され、靴紐が邪魔になることを避けることができる靴紐ガイドを提供することにある。
さらに、本発明の他の目的は、靴紐を挿通する通路を備えた本体部を靴に対して簡単に固定することができる靴紐ガイドを提供することにある。
【課題を解決するための手段】
【００１１】
本発明は、「ワイヤー状の靴紐を挿通して案内するために樹脂材料にて設けられた靴紐ガイドであって、靴へ固定するための装着部と、長手方向両端部に開口を備え靴紐を挿通できる細長いトンネル状の通路とを有する本体部と、を有し、前記通路に挿通された靴紐が締め付けられた際に当該靴紐が接しない側の前記通路の側壁は直線状の内面を有し、前記通路に挿通された靴紐が締め付けられた際に当該靴紐が接する側の前記通路の側壁の内面は、前記直線状の内面より短く形成されており、さらに、前記通路の上下の壁面は、前記靴紐が接する側の前記通路の側壁の内面の長手方向両端部より外方に延びるとともに、前記直線状の内面の全域を覆うように広がっている靴紐ガイド。」を最も主要な特徴とするものである。
【００１２】
本発明の靴紐ガイドにおいて、前記通路に挿通された靴紐が締め付けられた際に当該靴紐が接する側の前記通路の側壁は弧状の内面を有しており、当該弧状の内面は、靴紐が締め付けられた際においても靴紐が鈍角に引き出されるように緩やかな曲面から構成されているものであるとよい。
本発明の靴紐ガイドにおいて、前記通路の上下の壁面は、前記直線状の内面の長手方向両端部より外方に向かって拡開するように広がっているものであってもよい。
本発明の靴紐ガイドにおいて、前記通路の上下の壁面は、水平方向に延びるように平坦に形成され、前記通路両端部の開口を広く維持しているものであってもよい。
【００１３】
本発明の靴紐ガイドにおいて、前記通路は、最狭部においてもワイヤー状の靴紐が抵抗なく挿通できるように、靴紐の直径方向断面よりも十分に大きな横方向断面を有しているものであってもよい。
本発明の靴紐ガイドにおいて、前記装着部は、前記通路に挿通された靴紐が締め付けられた際に当該靴紐が接しない側の前記本体部から板状に延びるように設けられているものであってもよい。
【発明の効果】
【００１４】
上記のように構成した本発明の靴紐ガイドにおいては、下記の効果１）〜３）を全て得ることができる。
１）靴紐を靴紐ガイドの側方から真っ直ぐスムーズに通すことができ、靴の製造作業や靴紐の交換作業を効率化することができる。
２）靴紐を緩めた場合にも靴紐が通路から抜け出すことがなく、さらに、靴紐が通路から抜け出すことを防ぐための突起が無いため靴紐に傷が付くおそれもない。
３）通路の上下の壁面は、靴紐が締め付けられた際に靴紐が接する側の前記通路の側壁の内面の長手方向両端部より外方に延びるとともに、靴紐が緩められた際に靴紐が接しない直線状の内面の全域を覆うように広がっているため、靴紐をカバーして保護できる領域が広く、また、靴紐を緩めた状態においても、靴紐が上方又は下方へ広がって何かに引っ掛かったり邪魔になることを防止することができる。
【００１５】
本発明の靴紐ガイドにおいて、前記通路に挿通された靴紐が締め付けられた際に当該靴紐が接する側の前記通路の側壁が、弧状の内面を有しており、当該弧状の内面が、靴紐が締め付けられた際においても靴紐が鈍角に引き出されるように緩やかな曲面から構成されているようにした場合には、弧状の内面を有する側壁を備えた通路から引き出された靴紐が自然なＲ形状を維持するため、靴紐が鋭角に折り曲げられることがなく、靴紐にダメージが加えられることを防ぐことができるとともに、靴紐を締め付ける際や緩める際の摩擦抵抗を低減することができる。
【００１６】
本発明の靴紐ガイドにおいて、前記通路の上下の壁面が、前記直線状の内面の長手方向両端部より外方に向かって拡開するように広がっているようにした場合には、靴紐を緩めた状態においても、靴紐が上方又は下方へ広がって何かに引っ掛かったり邪魔になることをより一層効果的に防止することができる。
【００１７】
本発明の靴紐ガイドにおいて、通路の上下の壁面が、水平方向に延びるように平坦に形成され、前記通路両端部の開口を広く維持しているようにした場合には、靴紐を靴紐ガイドの側方から確実にスムーズに通すことができ、靴の製造作業や靴紐の交換作業を効率化することができる。また、靴紐ガイドの厚みが必要以上に増して邪魔になることもない。
【００１８】
本発明の靴紐ガイドにおいて、前記通路が、最狭部においてもワイヤー状の靴紐が抵抗なく挿通できるように、靴紐の直径方向断面よりも十分に大きな横方向断面を有しているものとした場合には、靴紐と通路との間の摩擦抵抗を最小限にすることができ、靴紐を締め付けたり緩める際の操作性が向上するとともに、靴紐ガイドと靴紐の耐久性を高めることができる。
【００１９】
本発明の靴紐ガイドにおいて、前記装着部が、前記通路に挿通された靴紐が締め付けられた際に当該靴紐が接しない側の前記本体部から板状に延びるように設けられているようにした場合には、当該装着部を靴の甲部などに縫い付け、靴紐ガイドを靴に対して簡単かつ迅速に取り付け固定することができる。
【図面の簡単な説明】
【００２０】
【図１】図１は本発明を具体化した一実施形態の靴紐ガイドを示す図であって、（Ａ）は斜視図、（Ｂ）は平面図、（Ｃ）は正面図、（Ｄ）は背面図、（Ｅ）は側面図、（Ｆ）はＸ−Ｘ線断面図、（Ｇ）はＹ−Ｙ線断面図である。
【図２】図２は本発明の靴紐ガイドを備えた靴の平面図及び靴紐ガイドを拡大して示す断面図である。
【図３】図３は本発明の靴紐ガイドを示す図であって、（Ａ）は靴紐ガイドの拡大側面図、（Ｂ）は靴紐ガイドに靴紐を挿通した状態を示す拡大側面図である。
【図４】図４は従来の紐ガイドを示す図であって、（Ａ）は靴に装着した紐ガイドを示す平面図、（Ｂ）〜（Ｄ）は紐ガイドの斜視図、（Ｅ）は紐ガイドの平面図である。
【発明を実施するための形態】
【００２１】
本発明の靴紐ガイドは、「ワイヤー状の靴紐を挿通して案内するために樹脂材料にて設けられた靴紐ガイドであって、靴へ固定するための装着部と、長手方向両端部に開口を備え靴紐を挿通できる細長いトンネル状の通路とを有する本体部と、を有し、前記通路に挿通された靴紐が締め付けられた際に当該靴紐が接しない側の前記通路の側壁は直線状の内面を有し、前記通路に挿通された靴紐が締め付けられた際に当該靴紐が接する側の前記通路の側壁の内面は、前記直線状の内面より短く形成されており、さらに、前記通路の上下の壁面は、前記靴紐が接する側の前記通路の側壁の内面の長手方向両端部より外方に延びるとともに、前記直線状の内面の全域を覆うように広がっている靴紐ガイド。」であり、以下において説明する実施形態などにより好適に具体化することができる。
【００２２】
以下、本発明を具体化した靴紐ガイドの一実施形態について説明する。
図１〜図３に示すように、本発明の一実施形態の靴紐ガイド１０は、ワイヤー状の靴紐Ｗを挿通して案内するための強度と耐摩耗性などを備えたナイロン又はポリ塩化ビニルなどの樹脂材料にて一体成形されており、横長の略台形状の本体部１と、当該本体部１を靴Ｓの甲部などへ縫い付けて固定するための四角板状の装着部２と、を備えている。
そして、前記本体部１は、その長手方向の両端部に開口３ａを備え前記靴紐Ｗを挿通できる細長いトンネル状の通路３を備えている。
なお、前記装着部２は、前記通路３に挿通された靴紐Ｗが締め付けられた際に、当該靴紐Ｗが接しない側の前記本体部１の下部縁から延び出るように設けられており、さらに、靴Ｓの甲部の表面形状に沿うように湾曲した薄い板状に形成されている。
【００２３】
前記通路３に挿通された靴紐Ｗが締め付けられた際に、当該靴紐Ｗが接しない側の前記通路３の側壁は直線状の内面４を有し、前記通路３に挿通された靴紐Ｗが締め付けられた際に当該靴紐Ｗが接する側の前記通路３の側壁の内面５は、前記直線状の内面４より短く形成されており、さらに、前記通路３の上下の壁面６，７は、前記靴紐Ｗが接する側の前記通路３の側壁の内面５の長手方向両端部より外方に延びるとともに、前記直線状の内面４の全域を覆うように広がっている。
従って、靴紐Ｗをカバーして保護できる領域を広く確保することができる。
【００２４】
ここで、前記靴紐ガイド１０の本体部１の寸法や材質は、靴Ｓの種類や用途に応じて異なる靴紐Ｗに加えられる力の大きさやデザイン上の理由に基づいて適宜変更可能である。
一例として、男性用のゴルフシューズに用いる場合で、靴紐ガイド１０がナイロン、ポリブチレンテレフタラート、ポリカーボネートなどの樹脂製であれば、前記通路３の側壁の直線状の内面４の長さは、約１２ｍｍ程度あればよいが、より大きなものとしてもよく、例えば、約３５ｍｍ程度までの大きさから適宜選択可能である。
【００２５】
さらに、本実施形態の靴紐ガイド１０において、前記通路３に挿通された靴紐Ｗが締め付けられた際に当該靴紐Ｗが接する側の前記通路３の側壁の前記内面５は、弧状の内面５とされている。
そして、当該弧状の内面５は、靴紐Ｗが締め付けられた際においても靴紐Ｗが通路３から鈍角に引き出されるように、即ち、通路３の内部を通過する部分のみならず、通路３の開口３ａから引き出された付近においても靴紐Ｗが強く曲げられることがないように、緩やかな曲面から構成されている。
上記の効果を得るために、本実施形態の前記弧状の内面５を構成する円弧の中心角θは具体的には約５０度に設定されており、本発明の実施形態としては、前記円弧の中心角θが２０度から１３０度の範囲内であることが望ましく、より好適には、３０度から８０度の範囲内であることが望ましい。
【００２６】
また、本実施形態において、前記通路３の上下の壁面６，７は、前記直線状の内面４の長手方向両端部より外方に向かって拡開するように広がっている。
即ち、前記上下の壁面６，７の長さは、前記直線状の内面４の長さよりも長く形成されており、前記本体部１が略台形状となっている。
従って、靴紐Ｗが緩められても、通路３の開口３ａから引き出された靴紐Ｗが上方又は下方に向けて広がって邪魔になることを防ぐことができる。
【００２７】
さらに、前記通路３の上下の壁面６，７は、水平方向に延びるように平坦に形成され、前記通路３の両端部の開口３ａを広く維持するようになっている。
また、本発明の靴紐ガイドと共に好適に使用することができるワイヤー状の靴紐Ｗとしては、直径約０．６〜１．２ｍｍ程度のものが好ましく、前記通路３は、最狭部においてもワイヤー状の靴紐Ｗが抵抗なく通過できるように、靴紐Ｗの直径方向断面よりも十分に大きな横方向断面（即ち、最狭部において少なくとも靴紐Ｗの直径＋０．２ｍｍの幅を有する大きさ）を有しているとよい。
さらに、前記通路３は、その最狭部の幅が、靴紐Ｗの直径＋０．６ｍｍ以下であるとよい。
【００２８】
上記のとおり構成された靴紐ガイド１０は、樹脂成形用の型を用いて容易に製造可能であり、靴Ｓの甲部のアッパーの裏側に隠すように装着部２を配置して縫い付けることで、靴Ｓに対して簡単に固定することができる。
なお、本実施形態の靴紐ガイド１０は、左右対称形状とされているため、靴Ｓの甲部の左右どちら側にも使用できる。
また、靴Ｓには、靴紐Ｗを巻き取るためのリールを内部に備え、かつ、当該リールを回転させるための円盤状のハンドルを備えた靴紐巻取装置２０が固定してあり、靴紐Ｗの両端部がリールに固定されるようになっている。
【００２９】
そして、本発明の靴紐ガイド１０においては、通路３の両端部の開口３ａが大きく開いており、かつ、通路３は直線状の内面４を有し、上下の壁面６，７は水平方向に延びるように平坦に形成されているため、靴紐Ｗの端部を本体部１の長手方向端部の開口３ａから真っ直ぐスムーズに通すことができる。
従って、本発明の靴紐ガイド１０においては、複数個の小さい靴紐ガイド１０に靴紐Ｗを挿通する細かい作業であっても迅速に行うことが可能である。
【００３０】
本実施形態の靴紐ガイド１０においては、前記弧状の内面５を構成する円弧の中心角θを約５０度とすることで、靴紐Ｗを締め付ける通常の引っ張り力（１５０Ｎ）を試験のために、図２に拡大して示すように、通路３の直線状の内面４と直交する方向にて加えた場合であっても、靴紐Ｗが直角に折れ曲がることは無く、靴紐Ｗは鈍角にて緩やかな曲線、即ち、自然なＲ形状を維持して曲げられて通路３から引き出された。
ここで、上記試験に用いた靴紐Ｗは、直径０．１１〜０．１３ｍｍのステンレス製の素線を４９本撚り合わせたワイヤーロープにスウェージングマシンにて加工を加え、ナイロン樹脂にて被覆した直径約０．９ｍｍの靴紐Ｗである。
【００３１】
本発明の靴紐ガイドと共に使用する靴紐Ｗとしては、ナイロンのような強度と耐摩耗性に優れた合成樹脂製の靴紐の他、上記のようにステンレスなどの金属製細線を撚り合わせ合成樹脂にて被覆した従来公知の靴紐を用いることができる。
また、本発明は、その趣旨を逸脱しない範囲で、靴紐が締め付けられた際に靴紐が接する側の通路の側壁の円弧状の内面５の中心角θの大きさを適宜変更して実施してもよい。
【００３２】
その他、本発明は、その趣旨を逸脱しない範囲で、各部の構造、材質、形状、寸法、角度などが異なる靴紐ガイドにおいて具体化して実施してもよい。例えば、本体部１の形状を長方形状にしたり、楕円形状として実施することも可能である。
【産業上の利用可能性】
【００３３】
本発明は、靴紐を挿通して案内することができる靴紐ガイドとして、産業上好適に利用可能である。
【符号の説明】
【００３４】
１    本体部
２    装着部
３    通路
３ａ  開口
４    靴紐が締め付けられた際に靴紐が接しない側の通路の側壁の直線状の内面
５    靴紐が締め付けられた際に靴紐が接する側の通路の側壁の円弧状の内面
６    通路の上の壁面
７    通路の下の壁面
１０    靴紐ガイド
２０    靴紐巻取装置
５０〜５４  従来の紐ガイド（靴紐ガイド）
５４ａ  突起
Ｓ    靴
Ｗ    靴紐
θ    弧状の内面を構成する円弧の中心角
【図１】
2017205301.tif 000003
【図２】
2017205301.tif 000004
【図３】
2017205301.tif 000005
【図４】
2017205301.tif 000006